(57)【要約】【課題】理容師や美容師が右利きであっても左利きであっても、また押し直鋏を行うときでも引き直鋏を行うときでも切れ味を損なうことがない理髪用鋏を提供する。【解決手段】第１の刃体１１と第２の刃体１２を基部に形成した平坦部１３、１４において、平坦部同士が接触した状態で枢軸１５により回動自在に軸着した理髪用鋏において、第２の刃体１２に捩じ込まれる枢軸１５の第１の刃体１１より突出する部分に高剛性の座金１７を介して緊締ナット１８を捩じ込み締結する。座金１７は枢軸１５に通される嵌挿孔の両側と刃先端側に下向きの突起２１、２２を有し、尾端には刃体１１の凹部２３に嵌合係止する係止部２４を有する。突起２１は刃体１１を押え、両刃体１１、１２の先端側の接触圧を増大させて刃の噛合力を増大させる。枢軸両側の突起２２は平坦部同士の接触圧を高め、刃体１１、１２の傾きを阻止する。【選択図】図２
2005261603.tif 000002
【特許請求の範囲】
【請求項１】
指環部を備えた第１の刃体と第２の刃体を基部に形成した平坦部において枢軸により回動自在に軸着すると共に、枢軸には緊締ナットが捩じ込まれる理髪用鋏であって、緊締ナットと第１の刃体との間には枢軸に通した高剛性の座金が介装され、該座金には枢軸の両側と刃体先端側に第１の刃体を押える突起が突出形成されることを特徴とする理髪用鋏。
【請求項２】
上記座金には指環部側の尾端が第１の刃体に係止ないし止着されて回り止めされることを特徴とする請求項1記載の理髪用鋏。
【発明の詳細な説明】
【技術分野】
【０００１】
本発明は、理容院や美容院で用いられる理髪用鋏に関する。
【背景技術】
【０００２】
理髪用鋏は一般に図１に示すように、指環部１、２を備えた刃体３、４を基部の平坦部５、６において枢軸７により回動自在に軸着した構成を有している。
【０００３】
理髪用鋏を用いて頭髪等を切断するときには、剪断力を増して切れ味をよくするために刃体間に頭髪等が挟まれて刃体が浮き上がらないようにする必要がある。そこで頭髪等の切断時には指環部に挿入した指先操作によって一方の刃体を枢軸を中心として拗らせながら両刃体の刃を押付けることが行われている。
【０００４】
また下記特許文献１には、枢軸に螺合する緊締ナットと刃体間に十字形状をなす板バネ体を介装し、板バネ体の先端と一方の腕に下方突部を形成して刃体を押え、頭髪等の切断時に刃体が浮上がるのを抑止する理髪用鋏が開示されている。
【特許文献１】特開平９−２８５６５６号
【発明の開示】
【発明が解決しようとする課題】
【０００５】
理髪用鋏には右利き用の鋏と左利き用の鋏があり、右利きの理容師や美容師が左利き用の理容鋏を右手に持って右利き用の理髪用鋏と同様、一方の刃体を拗らせるように開閉操作すると、刃先が互いに離間して浮くようになり、切れ味が極端に低下するか、頭髪等の切断が全くできなくなる。左利きの理容師や美容師が右利き用の理髪用鋏を左手に持って開閉操作する場合も同様である。
【０００６】
頭髪の切断方法に関しては、櫛を使わないで鋏を小刻みに開閉しながら頭部に沿わせて髪を切断する、いわゆる直鋏みと称される方法がある。この直鋏みにも指環部に挿入した親指と薬指のうち、親指を動かす押し直鋏と、薬親指を動かす引き直鋏があるが、日ごろ押し直鋏を行っている理容師や美容師が押し直鋏と同様、一方の刃体を拗らせるようにして引き直鋏を行うと、刃先が互いに離れて離間して浮くようになり、切れ味が極端に低下する、という上記と同様の問題を生ずる。日頃引き直鋏を行っている理容師や美容師が引き直鋏と同様に押し直鋏を行う場合も同様の問題を生ずる。
【０００７】
上述するような問題は、上記特許文献１に開示されるように、先端と一方の腕に下方突部を形成した板バネ体を備えた理髪用鋏においても解決することができない。枢軸の片側を押えているだけでは一方の刃体を拗らせるように開閉操作するとき、もう一方の側が浮いて刃先が離間するようになり、また板バネ体が弾性変形して刃先が同じく離間するようになるからである。
【０００８】
本発明は、上記の問題を解消し、理容師や美容師が右利きであっても左利きであっても、また押し直鋏を行うときでも引き直鋏を行うときでも切れ味を損なうことがない理髪用鋏を提供することを目的とする。
【課題を解決するための手段】
【０００９】
請求項１に係る発明は、指環部を備えた第１の刃体と第２の刃体を基部に形成した平坦部において枢軸により回動自在に軸着すると共に、枢軸には緊締ナットが捩じ込まれる理髪用鋏であって、緊締ナットと第１の刃体との間には枢軸に通した高剛性の座金が介装され、該座金には枢軸の両側と刃体先端側に第１の刃体を押える突起が突出形成されることを特徴とする。
【００１０】
請求項２に係る発明は、請求項１に係る発明の座金には指環部側の尾端が第１の刃体に係止ないし止着されて回り止めされることを特徴とする。
【発明の効果】
【００１１】
請求項１に係る発明によると、第１の刃体は、その先端側が刃体先端側の突起により第２の刃体側に押え付けられて刃体同士の接触圧が増大し、刃の噛合力が増大する。また枢軸両側の突起で第１の刃体の平坦部が第２の刃体の平坦部に密着して面接触するように押さえられるため、右利きの理容師や美容師が左利き用の理髪用鋏を用いて右利き用の理髪用鋏と同様に拗るように操作しても両刃体の刃が浮上らないようにできるか、浮上りを少なくでき、切れ味を損なうことなく頭髪等の切断操作を行うことができる。左利きの理容師や美容師が右利き用の理髪用鋏を用いて行う場合も同様である。また日頃押し直鋏を行う理容師や美容師が引き直鋏を行う場合、或いは逆に引き直鋏を行う理容師や美容師が押し直鋏を行う場合も切れ味を損なうことなく頭髪等の直鋏を行うことができる。
【００１２】
請求項２に係る発明によると、緊締ナットを締め込んでも座金が連れ回りすることなく、上述する効果を確実に奏することができる。
【発明を実施するための最良の形態】
【００１３】
図２は、第１の刃体１１と第２の刃体１２を基部に形成した平坦部１３、１４において、平坦部同士を接触させた状態で枢軸１５により回動自在に軸着した理髪用鋏の基部構造を示すもので、枢軸１５は下端のネジ部１５ａが第２の刃体１２に捩込まれ、第１の刃体１１とはベアリング１６を介して回転自在に軸支されている。第１の刃体１１より突出する枢軸１５には座金１７が嵌挿され、その突出部分のネジ部１５ｂに緊締ナット１８が捩込まれている。
【００１４】
座金１７は高剛性の鋼製で、図３に示すように枢軸１５に通される嵌挿孔１９の両側と刃体先端側に下向きをなす突起２１、２２が形成され、また指環部側の尾端に第１の刃体１１に形成される凹部２３に嵌合係止する係止部２４を形成している。
【００１５】
本実施形態の理髪用鋏は以上のように構成され、座金１７を枢軸１５に嵌挿し、かつ尾端の係止部２４を第１の刃体１１の凹部２３に嵌合係止させると、座金１５は図４に示すように先端側が高く、尾端側が低くなるように傾斜することにより枢軸１５に捩じ込んだ緊締ナット１８はａ点において座金１５と点接触する。そして緊締ナット１８の締め込みによりａ点において座金１５に力Ｆが加えられる。突起２１と第１の刃体１１との当接部ｂよりａ点及び突起２２までの距離をそれぞれｌ及びｒとすると、突起２２により第１の刃体１１には、Ｒ=ｌ／ｒ・Ｆの力が加えられ、これにより第１の刃体１１は先端側が第２の刃体側に押付けられ、刃体同士の接触圧を増大させて刃の噛合力を増大させる。
【００１６】
座金１５に加えられる力Ｆによってまた、枢軸両側の突起２２も枢軸両側で第１の刃体１１を押え、平坦部同士の接触圧を高める。これにより刃体１１はどちらの方向に拗らせようとしても傾くことはなく、したがって刃同士が噛み合ったり、刃が浮き上がったりすることもない。換言すれば、右利きの人が左利き用の鋏を右手に持って右利きの鋏と同様、刃体１１を拗らせるようにして操作しようとしても刃が浮き上がって切れ味を損なうことはないし、左利きの人が右利き用の鋏を左手に持って左利き用の鋏と同様に操作するときも切れ味を損なうことはない。
【００１７】
また押し直鋏を行うときでも引き直鋏を使うときでも同様、切れ味が損なわれることはない。
【産業上の利用可能性】
【００１８】
本発明は理容師や美容師が用いる理髪用鋏に適用される。
【図面の簡単な説明】
【００１９】
【図１】従来の理髪用鋏の平面図。
【図２】理髪用鋏の基部構造を示す拡大断面図。
【図３】座金の平面図。
【図４】作用説明書。
【符号の説明】
【００２０】
１、２・・指環部
３、４、１１、１２・・刃体
５、６、１３、１４・・平坦部
７、１５・・枢軸
１６・・ベアリング
１８・・緊締ナット
１９・・嵌挿孔
２１、２２・・突起
２３・・凹部
２４・・係止部
【図１】
2005261603.tif 000003
【図２】
2005261603.tif 000004
【図３】
2005261603.tif 000005
【図４】
2005261603.tif 000006